(57)【要約】      （修正有）【課題】通常、漏れガードは漏れ源から離れて設けられるため、大量の漏れの場合にはあまり有効ではないため、おむつコアの漏れを緩和または低減するために漏れ源に最も近接して配置される第３のまたは三重漏れガードが必要である。【解決手段】概しておむつコア、特に乳児および成人用の三重漏れガードおむつコア１に関し、おむつコアは、中心コア１０を備え、中心コアは、液体吸収材と、コアに長手方向に配置され、コアを上方に屈曲させるあるいはＵ状溝を形成する複数の中空部とを備え、中心コア上面が液体放出源に対面して設けられ、少なくとも１層の下側コアラップが中心コア上面に配置される下側コア間隙を備えた中心コアを包み、少なくとも１層の上側コアラップ１８が下側コア間隙および下側コアラップに配置され、少なくとも１層の取得物配送層２０が上側コアラップに配置される。【選択図】図４Ｂ
2017159010.tif 000002
【特許請求の範囲】
【請求項１】
乳児および成人用の三重漏れガードおむつコア（１）であって、
中心コア（１０）であって、液体吸収材（１２）と、前記コア（１０）に長手方向に配置され、前記コア（１０）を上方に屈曲させるあるいはＵ状溝を形成する複数の中空部（１４）とを備え、中心コア上面（ＣＣＴＳ）が液体放出源（１６）に対向して設けられる中心コア（１０）と、
前記中心コア上面（ＣＣＴＳ）に配置される下側コア間隙（ＢＣＧ）を備え、前記中心コア（１０）を包む少なくとも１層の下側コアラップ（１６）と、
前記上側コアラップ（１８）に配置される少なくとも１層の取得物配送層（２０）と、を備え、
前記下側コアラップ（１６）に、前記下側コア間隙（ＢＣＧ）の反対側に配置される下側コア下面（ＢＣＢＳ）が設けられ、
第３の漏れガードは、前記下側コアラップ（１６）と、上側コアラップ（１８）と、取得物配送層（２０）とを包む少なくとも１層の不織上側シート（５２）を備え、
少なくとも１つの第２の漏れガード（７２−Ｌ、７２−Ｒ）は、少なくとも１つの弾性帯（７２−Ｅ）を埋めこんだ少なくとも１つの不織層を備え、
少なくとも１つの第１の漏れガード（７４）は、少なくとも１つの弾性帯（７４−Ｅ）を埋めこんだ少なくとも１つの不織層を備え、上側シート下面（ＴＳＢＳ）全体に配置され、
前記不織上側シート（５２）は、下側コアラップ長手縁（１６ＬＥ）および上側シート下面（ＴＳＢＳ）の外部に配置される少なくとも１つの弾性帯（５２−Ｅ）を備え、前記上側シート下面（ＴＳＢＳ）は、前記下側コア下面（ＢＣＢＳ）全体に配置される上側シート間隙（ＴＳＧ）を備え、
少なくとも１つのＰＥ膜（６２）は、前記上側シート間隙（ＴＳＧ）および上側シート下面（ＴＳＢＳ）に配置される、三重漏れガードおむつコア。
【請求項２】
前記第２の漏れガード（７２−Ｌ、７２−Ｒ）は、接着剤（ＡＤ）、断続的接着剤（ＡＤ−Ｉ）、またはそれらの組み合わせによって、前記不織上側シート（５２）の上側シート長手縁（５２ＬＥ）に配置される、請求項１に記載の乳児および成人用の三重漏れガードおむつコア（１）。
【請求項３】
前記第２の漏れガード（７２−Ｌ、７２−Ｒ）の長手縁は、接着剤（ＡＤ）によって前記第１の漏れガード（７４）の長手縁と連結する、請求項１または２に記載の乳児および成人用の三重漏れガードおむつコア（１）。
【請求項４】
前記第１の漏れガード（７４）は、上側シート下面（ＴＳＢＳ）全体に配置される、請求項１に記載の乳児および成人用の三重漏れガードおむつコア（１）。
【請求項５】
前記コア（１）は、乳児または成人の前側骨盤領域によって着用されるおむつ前部（２）と連結することができる、請求項１に記載の乳児および成人用の三重漏れガードおむつコア（１）。
【請求項６】
前記コア（１）は、乳児または成人の前側骨盤領域によって着用されるおむつ後部（３）と連結することができる、請求項５に記載の乳児および成人用の三重漏れガードおむつコア（１）。
【請求項７】
前記前部（２）の横縁（２ＬａＥ）と後部（３）の横縁（３ＬａＥ）が、接着剤、熱シール、超音波シール、またはそれらの組み合わせによって連結される、請求項５または６に記載の乳児および成人用の三重漏れガードおむつコア（１）。
【請求項８】
前記下側コアラップ（１６）および前記下側コア間隙（ＢＣＧ）に、少なくとも１層の不織上側コアラップ（１８）が配置される、請求項１に記載の乳児および成人用の三重漏れガードおむつコア（１）。
【発明の詳細な説明】
【技術分野】
【０００１】
本発明は、概しておむつコア、特に乳児および成人用の三重漏れガードおむつコアに関し、該おむつコアは、中心コアを備え、中心コアは液体吸収材と、コアに長手方向に配置され、コアを上方に屈曲させるあるいはＵ状溝を形成する複数の中空部とを備え、中心コア上面が液体放出源に対面して設けられ、少なくとも１層の下側コアラップが中心コア上面に配置される下側コア間隙を備えた中心コアを包み、少なくとも１層の上側コアラップが下側コア間隙および下側コアラップに配置され、少なくとも１層の取得物配送層が上側コアラップに配置される。
【背景技術】
【０００２】
着用者の漏れの保護を追加した漏れガード付きのおむつが多数広く知られている。通常、漏れガードは漏れ源から離れて設けられるため、大量の漏れの場合にはあまり有効ではない。したがって、これらの欠点を軽減するため、本発明は、おむつコアの漏れを緩和または低減するために漏れ源に最も近接して配置される第３のまたは三重漏れガードを開示する。
【発明の概要】
【０００３】
したがって、本発明の第１の目的は、おむつコアまたは吸収性コアに第３のまたは三重漏れガードを提供して、着用者にとっての漏れの保護を強化することである。
本発明の別の目的は、おむつコアに第３のまたは三重漏れガードを提供することである。
本発明の別の目的は、隣接する漏れガードと連結する第３の漏れガードを提供することである。
【０００４】
本発明の好適な実施形態によると、以下の構成要素が提供される。
乳児および成人用の三重漏れガードおむつコア（１）であって、
中心コア（１０）であって、液体吸収材（１２）と、コア（１０）に長手方向に配置され、中心コア（１０）を上方に屈曲させるあるいはＵ状溝を形成する複数の中空部（１４）とを備え、中心コア上面（ＣＣＴＳ）が液体放出源（１６）に対向して設けられる中心コア（１０）と、
中心コア上面（ＣＣＴＳ）に配置される下側コア間隙（ＢＣＧ）を備え、中心コア（１０）を包む少なくとも１層の下側コアラップ（１６）と、
上側コアラップ（１８）に配置される少なくとも１層の取得物配送層（２０）と、を備え、
下側コアラップ（１６）に、下側コア間隙（ＢＣＧ）の反対側に配置される下側コア下面（ＢＣＢＳ）が設けられ、
第３の漏れガードは、前記下側コアラップ（１６）と、上側コアラップ（１８）と、取得物配送層（２０）とを包む少なくとも１層の不織上側シート（５２）を備え、
少なくとも１つの第２の漏れガード（７２−Ｌ、７２−Ｒ）は、少なくとも１つの弾性帯（７２−Ｅ）を埋めこんだ少なくとも１つの不織層を備え、
少なくとも１つの第１の漏れガード（７４）は、少なくとも１つの弾性帯（７４−Ｅ）を埋めこんだ少なくとも１つの不織層を備え、上側シート下面（ＴＳＢＳ）全体に配置され、
不織上側シート（５２）は、下側コアラップ長手縁（１６ＬＥ）および上側シート下面（ＴＳＢＳ）の外部に配置される少なくとも１つの弾性帯（５２−Ｅ）を備え、上側シート下面（ＴＳＢＳ）は、下側コア下面（ＢＣＢＳ）全体に配置される上側シート間隙（ＴＳＧ）を備え、
少なくとも１つのＰＥ膜（６２）は、上側シート間隙（ＴＳＧ）に配置される。
【図面の簡単な説明】
【０００５】
本発明の他の側面およびそれらの利点は、添付図面と併せて詳細な説明を検討することで認識されるであろう。
【０００６】
【図１Ａ】図１Ａは、おむつの吸収体／中心コアの例示的上面図である。
【図１Ｂ】図１Ｂは、図１Ａの面Ａ−Ａに沿ったおむつの吸収体／中心コアの断面図である。
【図２Ａ】図２Ａは、吸収性コアを包む下側コアラップ層、それに続く上側コアラップ層、およびＡＤＬ（取得物配送層）の例示的上面図である。
【図２Ｂ】図２Ｂは、図２Ａの面Ａ−Ａに沿った吸収体／中心コア、下側コアラップ、上側コアラップ、およびＡＤＬの断面図である。
【図２Ｃ】図２Ｃは、吸収性コア、下側コアラップ、上側コアラップ、およびＡＤＬを包む弾性帯を備えた不織上側シート層の断面図である。
【図２Ｄ】図２Ｄは、上側不織シートの下面に配置されるＰＥ膜層の断面図である。
【図２Ｅ】図２Ｅは、第２の漏れガードの左側を構成する弾性帯を備えた不織層の上面図である。
【図２Ｆ】図２Ｆは、第２の漏れガードの右側を構成する弾性帯を備えた不織層の上面図である。
【図２Ｇ】図２Ｇは、第１の漏れガードを構成する弾性帯を備えた不織層の上面図である。
【図３Ａ】図３Ａは、断続的接着剤の位置で連結される第１、第２、第３の漏れガードの上面図である。
【図３Ｂ】図３Ｂは、図３Ａの面Ａ−Ａに沿った、断続的接着剤の位置で連結される第１、第２、第３の漏れガードの断面図である。
【図４Ａ】図４Ａは、連続的接着剤の位置で連結される第１、第２、第３の漏れガードの上面図である。
【図４Ｂ】図４Ｂは、図４Ａの面Ａ−Ａに沿った、連続的接着剤の位置で連結される第１、第２、第３の漏れガードの断面図である。
【図５】図５は、前部と後部を組み合わせて完全なおむつを形成するおむつコアの上面図である。
【発明を実施するための形態】
【０００７】
図面の詳細な説明
以下の詳細な説明では、本発明を完全に理解してもらうために、具体的な細部を多数記載する。しかしながら、当業者であれば、これらの具体的な細部がなくても本発明を実行できることを理解するであろう。他の例では、本発明を曖昧にしないように、周知の方法、手順、および／または構成要素は詳細に説明しない。
【０００８】
本発明は、等縮尺ではない添付図面を参照して例示される、以下の本発明の実施形態からより明確に理解されるであろう。
【０００９】
図１は、おむつ（１）の吸収性コアまたは中心コア（１０）の例示的上面図である。中心コア（１０）は、液体吸収材（１２）と、中心コア（１０）に長手方向に配置される複数の中空部（１４）とを備え、中空部は、中心コア（１０）を上方に屈曲させるあるいはＵ状溝を形成する。液体吸収材（１２）は、超吸収性ポリマー（ＳＡＰ）を含む綿毛状コアを備える。図１Ｂは、液体放出源（１６）に対向して設けられる中心コア上面（ＣＣＴＳ）を示す。
【００１０】
図２Ａおよび２Ｂを参照すると、少なくとも１層の不織下側コアラップ（１６）は、中心コア上面（ＣＣＴＳ）に配置される下側コア間隙（ＢＣＧ）を備え、中心コア（１０）を包み、少なくとも１層の不織上側コアラップ（１８）が下側コア間隙（ＢＣＧ、双方向矢印の点線で仕切られる）および下側コアラップ（１６）に配置され、少なくとも１層の取得物配送層（２０）が上側コアラップ（１８）に配置される。下側コアラップ（１６）には、下側コア間隙（ＢＣＧ）の反対側に配置される下側コア下面（ＢＣＢＳ、括弧で仕切られる）が設けられる。
【００１１】
図２Ｃを参照すると、第３の漏れガードは、下側コアラップ（１６）と、上側コアラップ（１８）と、取得物配送層（２０）とを包む少なくとも１層の不織上側シート（５２）を備える。不織上側シート（５２）は、下側コアラップ長手縁（１６ＬＥ）および上側シート下面（ＴＳＢＳ、括弧で仕切られる）の外部に配置される少なくとも１つの弾性帯（５２−Ｅ）を備え、上側シート下面（ＴＳＢＳ）は、下側コア下面（ＢＣＢＳ）全体に配置される上側シート間隙（ＴＳＧ、双方向矢印の点線で仕切られる）を備える。次に、図２Ｄを参照すると、少なくとも１つのＰＥ膜（６２）は、上側シート間隙（ＴＳＧ）および上側シート下面（ＴＳＢＳ）に配置される。
【００１２】
図２Ｅおよび２Ｆを参照すると、１つの第２の漏れガード（７２−Ｌ、７２−Ｒ）は、少なくとも１つの弾性帯（７２−Ｅ）を埋めこんだ少なくとも１層の不織シートを備え、帯（７２−Ｅ）は、好ましくはシート（７２−Ｌ、７２−Ｒ）の一方の長手縁（７２ＬＢＥ）に配置される。一方で、第２の漏れガード（７２−Ｌ、７２−Ｒ）の他方の長手縁（７２ＬＮＥ）には、弾性帯が埋め込まれていない。
【００１３】
図２Ｇを参照すると、少なくとも１つの第１の漏れガード（７４）は、少なくとも１つの弾性帯（７４−Ｅ）を埋めこんだ少なくとも１層の不織シートを備え、帯（７４−Ｅ）は、好ましくはシート（７４）の両長手縁（７４ＬＥ）に配置され、漏れガード（７４）は、上側シート下面（ＴＳＢＳ）全体に配置される。
【００１４】
次に、図３Ａ、３Ｂ、４Ａ、４Ｂを参照すると、弾性帯（７４−Ｅ）を備える第２の漏れガード（７２−Ｌ、７２−Ｒ）の長手縁（７２ＬＢＥ）は、接着剤（ＡＤ）、断続的接着剤（ＡＤ−Ｉ）、またはそれらの組み合わせによって、不織上側シート（５２）の上側シート長手縁（５２ＬＥ）に隣接して配置される。弾性帯を有していない第２の漏れガード（７２−Ｌ、７２−Ｒ）の長手縁（７２ＬＮＥ）は、接着剤（ＡＤ）によって、弾性帯（７４−Ｅ）を有する第１の漏れガード（７４）の長手縁（７４ＬＢＥ）と連結する。第１の漏れガード（７４）は、上側シート下面（ＴＳＢＳ）全体に配置される。
【００１５】
図５は、乳児または成人の前側骨盤領域に着用されるおむつ前部（２）と連結することのできるコア（１）を示す。コア（１）は、乳児または成人の前側骨盤領域に着用されるおむつ後部（３）とも連結することができる。さらに、前部（２）の横縁（２ＬａＥ）と後部（３）の横縁（３ＬａＥ）は、接着剤、熱シール、超音波シール、またはそれらの組み合わせによって連結される。
【００１６】
本発明によって得られる成果と従来技術を超える利点を表す好適な実施形態と考えられるものに関して本発明を図示および記載したが、本発明はこれらの具体的な実施形態に限定されない。よって、本明細書に図示および記載した形式は単に例示であると解釈すべきであり、添付の請求項に説明される本発明の範囲を逸脱することなく、他の実施形態を選択することができる。
【図１Ａ】
2017159010.tif 000003
【図１Ｂ】
2017159010.tif 000004
【図２Ａ】
2017159010.tif 000005
【図２Ｂ】
2017159010.tif 000006
【図２Ｃ】
2017159010.tif 000007
【図２Ｄ】
2017159010.tif 000008
【図２Ｅ】
2017159010.tif 000009
【図２Ｆ】
2017159010.tif 000010
【図２Ｇ】
2017159010.tif 000011
【図３Ａ】
2017159010.tif 000012
【図３Ｂ】
2017159010.tif 000013
【図４Ａ】
2017159010.tif 000014
【図４Ｂ】
2017159010.tif 000015
【図５】
2017159010.tif 000016
【外国語明細書】
2017159010000001.pdf